(57)【特許請求の範囲】
【請求項１】
開口部の上縁部または下縁部に沿って配置され、被捕捉部材が取り付けられた固定部材と、
前記開口部を開閉する開閉体と、
前記開閉体を支持し、前記固定部材に転動可能に取り付けられて前記開閉体を前記固定部材に沿って移動させるためのガイドローラ部を有し、前記被捕捉部材を捕捉するとともに前記開閉体を閉止状態へ誘導する本体部とを備えた捕捉引込機構と、
を備えた開閉体閉止装置であって、
前記ガイドローラ部は、前記捕捉引込機構本体部の両端にそれぞれ取り付けられた１対のガイドローラ部であり、
前記捕捉引込機構本体部は、前記１対のガイドローラ部のうち、一方のガイドローラ部を取り外した状態で、他方のガイドローラ部を中心に回動するように構成し、前記他方のガイドローラ部が取り付けられている一端に、弾性をもつ係合爪を有し、
前記他方のガイドローラ部は、前記係合爪の弾性によって、前記係合爪を抜き取り可能に嵌合して固定する係合孔を形成した取付カバーを有し、
前記開閉体閉止装置は、前記捕捉引込機構本体部を、前記一方のガイドローラ部を取り外した状態で、前記他方のガイドローラ部を中心に回動させ、前記捕捉引込機構本体部に、前記他方のガイドローラ部に対する押し込み力または引き抜き力を作用させることにより、前記固定部材に前記１対のガイドローラ部が取り付けられた状態で、前記捕捉引込機構本体部を前記１対のガイドローラ部に対して着脱可能に構成したことを特徴とする開閉体閉止装置。
【請求項２】
前記一方のガイドローラ部と前記捕捉引込機構本体部とが、前記固定部材の、前記被捕捉部材が取り付けられた側に向かう方向に挿入される着脱可能な取付ねじによって取り付けられていることを特徴とする請求項１に記載の開閉体閉止装置。
【請求項３】
開口部の上縁部または下縁部に沿って配置され、被捕捉部材が取り付けられた固定部材と、前記開口部を開閉する開閉体と、前記開閉体を支持し、前記固定部材に転動可能に取り付けられて前記開閉体を前記固定部材に沿って移動させるためのガイドローラ部を有し、前記被捕捉部材を捕捉するとともに前記開閉体を閉止状態へ誘導する本体部を備えた捕捉引込機構と、を備えた開閉体閉止装置の着脱方法であって、
該開閉体閉止装置は、
前記ガイドローラ部が、前記捕捉引込機構本体部の両端にそれぞれ取り付けられた１対のガイドローラ部であり、
該１対のガイドローラ部のうち、一方のガイドローラ部と前記捕捉引込機構本体部とが、前記固定部材の、前記被捕捉部材が取り付けられた側に向かう方向に挿入される着脱可能な取付ねじによって取り付けられ、
前記捕捉引込機構本体部は、前記他方のガイドローラ部が取り付けられている一端に、弾性をもつ係合爪を有し、
前記他方のガイドローラ部は、前記係合爪の弾性によって、前記係合爪を抜き取り可能に嵌合して固定する係合孔を形成した取付カバーを有し、
前記固定部材に前記１対のガイドローラ部を介して前記捕捉引込機構本体部が取り付けられている状態で、前記捕捉引込機構本体部と前記一方のガイドローラ部とを固定する前記取付ねじを取り外し、
前記他方のガイドローラ部を中心に前記捕捉引込機構本体部を回動させ、
前記捕捉引込機構本体部を前記他方のガイドローラ部から抜き取ることを特徴とする開閉体閉止装置の着脱方法。
【発明の詳細な説明】
【技術分野】
【０００１】
本発明は、引き戸や抽斗などの開閉体を強制的に閉止させるための開閉体閉止装置、および開閉体閉止装置の着脱方法に関する。
【背景技術】
【０００２】
従来、引き戸などの開閉体を強制的に閉止させるものとして、開閉体閉止装置が知られている。この開閉体閉止装置は、例えば、引き戸を案内するためのガイドレール側に取付られた被捕捉部材と、引き戸を支持し、ガイドローラによってガイドレール上を移動可能な捕捉引込機構とで構成されている。
【０００３】
この捕捉引込機構は、被捕捉部材を捕捉する捕捉部材と、引き戸を閉止する方向に引き寄せるためのばねを内部に有している。この捕捉引込機構の捕捉部材が被捕捉部材を捕捉していない状態では、その内部のばね力が作用しない（引き戸を閉止しない）ようになっている。一方、捕捉部材が被捕捉部材を捕捉している状態では、ばね力が作用して引き戸を閉止する方向に引き寄せるようになっている。
【０００４】
これにより、開閉体閉止装置は、引き戸の閉まり際に、捕捉引込機構の捕捉部材が被捕捉部材を捕捉することによって、引き戸が強制的に閉位置に誘導される（例えば、特許文献１、２参照）。
【先行技術文献】
【特許文献】
【０００５】
【特許文献１】特開２００９−１９１４６９号公報
【特許文献２】特開２０１０−４３４７２号公報
【発明の概要】
【発明が解決しようとする課題】
【０００６】
上述した開閉体閉止装置では、捕捉引込機構は、ガイドレールの長手方向の端部から挿入する態様で取り付けられる。そのため、捕捉引込機構をガイドレールから取り外してメンテナンスをするには、ガイドレールを開口部の上縁部から取り外し、このガイドレールの長手方向の端部からガイドローラを抜き取って、捕捉引込機構を取り外さなければならなかった。そのため、ガイドレールの取り外しなどに手間がかかり、メンテナンス作業に時間がかかっていた。
【０００７】
本発明は、上述した事情を鑑みてなされたものであり、ガイドローラをガイドレールから取り外さないで、捕捉引込機構をメンテナンスすることができる開閉体閉止装置およびその着脱方法を提供するためのものである。
【課題を解決するための手段】
【０００８】
上述課題を解決するため、本発明の開閉体閉止装置は、開口部の上縁部または下縁部に沿って配置され、被捕捉部材が取り付けられた固定部材と、前記開口部を開閉する開閉体と、前記開閉体を支持し、前記固定部材に転動可能に取り付けられて前記開閉体を前記固定部材に沿って移動させるためのガイドローラ部を有し、前記被捕捉部材を捕捉するとともに前記開閉体を閉止状態へ誘導する本体部とを備えた捕捉引込機構とを備えた開閉体閉止装置であって、前記ガイドローラ部は、前記捕捉引込機構本体部の両端にそれぞれ取り付けられた１対のガイドローラ部であり、前記捕捉引込機構本体部は、前記１対のガイドローラ部のうち、一方のガイドローラ部を取り外した状態で、他方のガイドローラ部を中心に回動するように構成し、前記他方のガイドローラ部が取り付けられている一端に、弾性をもつ係合爪を有し、前記他方のガイドローラ部は、前記係合爪の弾性によって、前記係合爪を抜き取り可能に嵌合して固定する係合孔を形成した取付カバーを有し、前記開閉体閉止装置は、前記捕捉引込機構本体部を、前記一方のガイドローラ部を取り外した状態で、前記他方のガイドローラ部を中心に回動させ、前記捕捉引込機構本体部に、前記他方のガイドローラ部に対する押し込み力または引き抜き力を作用させることにより、前記固定部材に前記１対のガイドローラ部が取り付けられた状態で、前記捕捉引込機構本体部を前記１対のガイドローラ部に対して着脱可能に構成したことを特徴とする。
【０００９】
また、前記一方のガイドローラ部と前記捕捉引込機構本体部とが、前記固定部材の、前記被捕捉部材が取り付けられた側に向かう方向に挿入される着脱可能な取付ねじによって取り付けられているようにしてもよい。
【００１１】
他方、本発明の開閉体閉止装置の着脱方法は、開口部の上縁部または下縁部に沿って配置され、被捕捉部材が取り付けられた固定部材と、前記開口部を開閉する開閉体と、前記開閉体を支持し、前記固定部材に転動可能に取り付けられて前記開閉体を前記固定部材に沿って移動させるためのガイドローラ部を有し、前記被捕捉部材を捕捉するとともに前記開閉体を閉止状態へ誘導する本体部を備えた捕捉引込機構と、を備えた開閉体閉止装置の着脱方法であって、該開閉体閉止装置は、前記ガイドローラ部が、前記捕捉引込機構本体部の両端にそれぞれ取り付けられた１対のガイドローラ部であり、該１対のガイドローラ部のうち、一方のガイドローラ部と前記捕捉引込機構本体部とが、前記固定部材の、前記被捕捉部材が取り付けられた側に向かう方向に挿入される着脱可能な取付ねじによって取り付けられ、前記捕捉引込機構本体部は、前記他方のガイドローラ部が取り付けられている一端に、弾性をもつ係合爪を有し、前記他方のガイドローラ部は、前記係合爪の弾性によって、前記係合爪を抜き取り可能に嵌合して固定する係合孔を形成した取付カバーを有し、前記固定部材に前記１対のガイドローラ部を介して前記捕捉引込機構本体部が取り付けられている状態で、前記捕捉引込機構本体部と前記一方のガイドローラ部とを固定する前記取付ねじを取り外し、前記他方のガイドローラ部を中心に前記捕捉引込機構本体部を回動させ、前記捕捉引込機構本体部を前記他方のガイドローラ部から抜き取ることを特徴とする。
【発明の効果】
【００１２】
本発明に係る開閉体閉止装置では、前記ガイドローラを前記捕捉引込機構本体部の前後にそれぞれ配設し、前記固定部材に前記ガイドローラが取り付けられた状態で、前記捕捉引込機構本体部を前記ガイドローラから着脱可能に構成しているので、開口部の上縁部または下縁部に取り付けられた固定部材をその開口部の縁部から取り外すことなく、かつ、その固定部材に載置する態様で取り付けられているガイドローラを固定部材側に残したまま、メンテナンスが必要な捕捉引込機構本体部のみを固定部材から単体で取り外すことができる。そのため、従来のように、開閉体と捕捉引込機構の全体を固定部材から取り外す必要がなく、捕捉引込機構のメンテナンスを容易かつ短時間で行うことができる。
【００１３】
また、本発明に係る開閉体閉止装置の着脱方法では、前記固定部材に前記ガイドローラを介して前記捕捉引込機構が取り付けられている状態で、前記捕捉引込機構本体部の前側または後側のいずれか一方の前記ガイドローラから前記捕捉引込機構本体部を固定する前記取付ピンを取り外し、他方の前記ガイドローラを中心に前記捕捉引込機構本体部が回動し、前記捕捉引込機構本体部を引き抜きやすい位置で、前記捕捉引込機構本体部を他方の前記ガイドローラから抜き取るようにしているので、開口部の上縁部または下縁部に取り付けられた固定部材をその開口部の縁部から取り外すことなく、かつ、その固定部材に載置する態様で取り付けられているガイドローラを固定部材側に残したまま、捕捉引込機構本体部のみを固定部材から容易に着脱することができる。そのため、従来と比較して、捕捉引込機構のメンテナンスを容易かつ短時間で行うことができる。
【図面の簡単な説明】
【００１４】
【図１】本発明に係る開閉体閉止装置を備えた引き戸上部の正面図であって、（ａ）は開閉体の開時、（ｂ）は装置作動時、（ｃ）は開閉体の閉時を示す。
【図２】図１（ａ）の捕捉引込機構の拡大図であって、（ａ）は平面図、（ｂ）はＡ−Ａ線における断面図、（ｃ）は正面図である。
【図３】図１（ｂ）の捕捉引込機構の拡大図であって、（ａ）は平面図、（ｂ）はＢ−Ｂ線における断面図、（ｃ）は正面図である。
【図４】図１（ｃ）の捕捉引込機構の拡大図であって、（ａ）は平面図、（ｂ）はＣ−Ｃ線における断面図、（ｃ）は正面図である。
【図５】図１（ａ）の捕捉引込機構を単体で示したものであって、左斜め上方から見た斜視図である。
【図６】図１（ｃ）の捕捉引込機構を単体で示したものであって、左斜め上方から見た斜視図である。
【図７】図６の捕捉引込機構の分解斜視図である。
【図８】図７を右斜め上方から見た分解斜視図である。
【図９】キャッチ部を分解した状態の拡大図であって、（ａ）は図７のＤ部の拡大図、（ｂ）は図８のＥ部拡大図である。
【図１０】図７に示す吊り下げ部と引込部との取付部分を拡大して示す分解斜視図である。
【図１１】ガイドレールに捕捉引込機構が取り付けられた状態を前方斜め右側から見た斜視図である。
【図１２】図１１の状態から、前側ガイドローラからピンを取り外した状態を示す斜視図である。
【図１３】図１２の状態から、捕捉引込機構本体部の前側部分を下側に回動した状態を示す斜視図である。
【図１４】図１２の状態から、捕捉引込機構本体部の後側部分を後側ガイドローラから抜き取った状態を示す斜視図である。
【発明を実施するための形態】
【００１５】
以下、本発明の実施の形態に係る開閉体閉止装置１０について、図面を用いて詳細に説明する。なお、本実施の形態では、開閉体閉止装置１０を引き戸装置に使用したものについて説明する。
【００１６】
図１（ａ）、（ｂ）、（ｃ）は、引き戸装置の正面図であって、引き戸の開閉時の状態を示したものである。また、図２〜図４は、図１で示す捕捉引込機構２０の拡大図であって、図２は図１（ａ）の状態に対応し、図３は図１（ｂ）、図４は図１（ｃ）の状態に対応するものである。この図２〜図４において、（ａ）は捕捉引込機構２０の平面図、（ｂ）はＡ−Ａ（Ｂ−Ｂ、Ｃ−Ｃ）線で切断した断面図、（ｃ）は正面図である。
【００１７】
図１に示す引き戸装置は、開口部の上縁部に沿って延在するガイドレール１と、このガイドレール１に沿って移動することで開口部を開閉する引き戸２（開閉体）と、引き戸２の閉まり際に制動しつつ、この引き戸２を閉位置に誘導する開閉体閉止装置１０とで構成されている。
【００１８】
この開閉体閉止装置１０は、ガイドレール１の戸当り３近傍の所定の位置に固定して設けられた被捕捉部材１１と、このガイドレール１上を図１の紙面横方向に沿って走行可能な捕捉引込機構２０とで構成されている。
【００１９】
被捕捉部材１１は、図１に示すように、下側に向けて突出する突部１１ａが形成された突形状に形成されている。
一方、捕捉引込機構２０は、ガイドレール１の内方に移動可能に取り付けられている。より詳細には、捕捉引込機構２０には、その前側部と後側部とのそれぞれにガイドローラ２１が設けられており、このガイドローラ２１によってガイドレール１の長手方向に自由に移動可能になっている。
また、引き戸２は、その上端角部（紙面左斜め上の角部）が捕捉引込機構２０（詳細には、後述する捕捉引込機構２０の吊り下げ部３００）に取り付けられている。これにより、引き戸２に開閉方向へ力を加えると、捕捉引込機構２０のガイドローラ２１がガイドレール１上を転動し、引き戸２が開閉するようになる。
【００２０】
この捕捉引込機構２０には、詳細は後述するキャッチ部１００（図２〜図４参照）が設けられており、このキャッチ部１００が被捕捉部材１１の突部１１ａを捕捉する。
【００２１】
捕捉引込機構２０は、図１（ａ）及び図２（ｂ）に示すように、引き戸２の開状態では、被捕捉部材１１の突部１１ａを捕捉しない位置にある。すなわち、この状態では、捕捉引込機構２０は機能しておらず、待機状態である。
この待機状態から、引き戸２を左側に移動させると、引き戸２を閉めるときの閉まり際に、捕捉引込機構２０が被捕捉部材１１を捕捉する。また、上述したキャッチ部１００のロックが解除される（解除状態）。
この解除状態では、捕捉引込機構２０は、捕捉した被捕捉部材１１を引き戸２側（図１の例では右側）に引き寄せるように作用する。これにより、引き戸２は、図１（ｂ）および図３（ｂ）に示すように、相対的に閉じる方向（図１の例では左側）へと強制的に移動する（移動状態）。そして、図１（ｃ）および図４（ｂ）に示すように、引き戸２が完全に閉じられるようになる（閉止状態）。
【００２２】
図５は、図２の状態（待機状態）における捕捉引込機構２０を単体で示したものであって、左斜め上方から見た斜視図である。また図６は、図４の状態（解除状態）における捕捉引込機構２０を単体で示したものであって、左斜め上方から見た斜視図である。さらに、図７は図６の捕捉引込機構２０の分解斜視図、図８は図７の捕捉引込機構２０を右斜め上方から見た分解斜視図、図９（ａ）は、図７のＤ部の拡大図、図９（ｂ）は、図８のＥ部の拡大図である。さらに、図１０は、図７に示す吊り下げ部と引込部との取付部分を拡大して示す分解斜視図である。
なお、以下の説明で使用する前後方向は、引き戸２を開閉する方向をいい、木口２ｂ側を前側とする。また、上下、左右方向は、木口２ｂ側から見た方向をいうものとする。
【００２３】
捕捉引込機構２０は、図５〜図８に示すように、被捕捉部材１１の突部１１ａを捕捉するキャッチ部１００と、このキャッチ部１００をガイドレール１の延在方向に沿って引き込むための引込部２００と、吊り下げる態様で引き戸２が取り付けられる吊り下げ部３００とを備えている。
【００２４】
キャッチ部１００は、図２〜図４および図７、図８に示すように、後述するリンクピン１４０の位置によって動作するリンク機構によって構成されている。より詳細には、キャッチ部１００は、図７および図８に示すように、突部１１ａと所定位置で当接する当接ブロック１１０と、被捕捉部材１１の突部１１ａを捕捉するために上下方向に移動する捕捉板１２０と、これらの当接ブロック１１０と捕捉板１２０とを内包してこれら全体で移動する内包ブロック１３０と、これらの当接ブロック１１０、捕捉板１２０、内包ブロック１３０がリンク機構として動作するためのリンクピン１４０とで構成されている。
【００２５】
当接ブロック１１０は、図７、図８、特に図９（ａ）、図９（ｂ）に示すように、ほぼ直方体形状に形成された本体部１１１と、この本体部１１１の後方斜め上側に突出する態様で形成され、その上部が本体部１１１の上面よりも上側に突出している受け部１１２とで構成されている。
【００２６】
本体部１１１は、その内側が空洞になっており、この空洞は上下に貫通する態様で形成されている。この空洞内には、その下側の開口から、捕捉板１２０が挿入されて組み付けられる。また、本体部１１１には、正面から見て、左斜め上側から右斜め下側に向かって延びる傾斜孔１１１ａが形成されている。この傾斜孔１１１ａは、本体部１１１の左右方向に貫通する態様で形成されており、キャッチ部１００が組み付けられる際にリンクピン１４０が挿通されるようになる。
【００２７】
受け部１１２の前側の面には、図７および図９（ａ）に示すように、本体部１１１の上面から上方に向けて起立する当接面１１２ａが形成されている。この当接面１１２ａは、引き戸２が所定の位置まで閉じられたときに、被捕捉部材１１の突部１１ａと当接するようになる（図３（ｂ）参照）。
また、受け部１１２の後側の面には、図８および図９（ｂ）に示すように、前後方向に窪んだ形状のばね受け溝１１２ｂが形成されている。このばね受け溝１１２ｂには、圧縮コイルばね１１３の一端部が支持される。
【００２８】
捕捉板１２０は、図７、図８、特に図９（ａ）、図９（ｂ）に示すように、略矩形状に形成され、その上面から上側に向けて突出する捕捉爪１２１が形成されている。この捕捉爪１２１は、捕捉板１２０が上方向に移動したときに、上述した受け部１１２とこの捕捉爪１２１とで被捕捉部材１１の突部１１ａを前後方向において捕捉するようになっている（図３（ｂ）参照）。
この捕捉爪１２１の後面には、テーパ当接面１２１ａが形成されている。このテーパ当接面１２１ａは、テーパの下側から前方斜め上側に向かって傾斜する傾斜面である。すなわち、引き戸２を開方向へ移動させるときに、このテーパ当接面１２１ａに被捕捉部材１１の突部１１ａが当接して、捕捉爪１２１をこのテーパ面と垂直な方向である前方斜め下側に向けて押し下げるようになる（図２（ｂ）参照）。
【００２９】
また、捕捉板１２０には、捕捉爪１２１の前側に位置する補助爪１２２が形成されている。この補助爪１２２は、上述した捕捉爪１２１と受け部１１２とによって突部１１ａを捕捉できなかったときに、捕捉爪１２１とこの補助爪１２２とで突部１１ａを捕捉する、いわば補助的に設けられたものである。
【００３０】
この補助爪１２２は、捕捉爪１２１と補助爪１２２とで被捕捉部材１１を捕捉した場合であっても、開閉体閉止装置１０が引き戸２を閉止させることができるようになっている。より詳細には、補助爪１２２は、引き戸２を開くときであって被捕捉部材１１の突起１１ａによって前方に向けて押圧されたときに、補助爪１２２が下側に撓んで被捕捉部材１１を補助爪１２２の前側に逃がすようになっている。なお、捕捉板１２０は、この補助爪１２２が押圧される位置では、詳細は後述するガイド孔２１１（図２〜図４参照）の上下長孔２１１ｂの位置に到達していない（捕捉爪１２１と受け部１１２で捕捉した位置が上下長孔２１１ｂの位置になる）ので、下側に移動することはできない。そのため、補助爪１２２は、下側に撓んで逃がすように構成されており、捕捉板１２０が上下長孔２１１ｂの位置まで達したときに、当接ブロック１１０が圧縮コイルばね１１３の付勢力によって前側に移動するのに伴って、下側に移動するようになっている。
【００３１】
さらに、捕捉板１２０には、捕捉爪１２１の下側に位置し、左右方向に貫通する取付孔１２３が形成されている。この取付孔１２３は、リンクピン１４０の外径よりも少し大きな径の丸穴であり、この取付孔１２３には、詳細は後述するリンクピン１４０が挿通される。これにより、捕捉板１２０は、リンクピン１４０の移動に伴って一緒に移動することになる。
【００３２】
内包ブロック１３０は、図７〜図９に示すように、ほぼ直方体形状に形成された外郭部１３１と、この外郭部１３１の後端から後側に突出する支持部１３２と、外郭部１３１の左右の両側部からそれぞれ左右の外側に向けて突出する案内突部１３３とで構成されている。
【００３３】
外郭部１３１は、図７〜図９に示すように、その内部が空洞になっている。この空洞は上下に貫通する態様で形成されており、この空洞内には、その上側の開口から、当接ブロック１１０が挿入されて組み付けられる。また、外郭部１３１には、正面から見て、上下方向に延在する誘導孔１３１ａが形成されている。この誘導孔１３１ａは、外郭部１３１の左右方向に貫通する態様で形成されており、キャッチ部１００が組み付けられる際にリンクピン１４０が挿通されるようになる。
【００３４】
また、外郭部１３１の空洞内の後端部には、上下に起立する受け面１３１ｂが形成されている。この受け面１３１ｂには、内包ブロック１３０内に当接ブロック１１０が組み付けられた状態で、上述した圧縮コイルばね１１３の他端部が支持される。
【００３５】
さらに、外郭部１３１の下側後部（支持部１３２の下側）には、詳細は後述する引張ばねユニット２２５のばね受け２２７のくびれ部２２７ａを収容するくびれ部収容溝１３１ｃが形成されている。このくびれ部収容溝１３１ｃは、ばね受け２２７の左右方向および前後方向の位置を規制する。
【００３６】
支持部１３２には、図８および図９に示すように、その後端部に上下方向に延びる取付溝１３２ａが形成されている。この取付溝１３２ａには、詳細は後述するダンパーユニット２２１の出力軸２２１ａの先端部が挿入され、この出力軸２２１ａの左右方向の取付位置を規制している。
【００３７】
案内突部１３３は、前後方向（引き戸２の移動方向）に延在しており、詳細は後述する引込部２００のガイド孔２１１（図７および図８参照）に嵌合される。これにより、キャッチ部１００が引込部２００に対して、このガイド孔２１１に沿って移動可能になっている。
【００３８】
引込部２００は、図７および図８に示すように、キャッチ部１００が内側に組み付けられるガイド部２１０と、このガイド部２１０の後側に取り付けられるダンパー支持部２２０とで構成されている。
【００３９】
ガイド部２１０は、図７および図８に示すように、前後方向に延在しており、この前後方向と直交する面における断面形状は、上側が開口するコ字形状に形成されている。すなわち、ガイド部２１０には、この上側の開口からキャッチ部１００が挿入され、組み付けられるようになっている。
【００４０】
また、ガイド部２１０の左右のそれぞれの側部には、逆Ｌ字形状をなすガイド孔２１１が形成されている。より詳細には、ガイド孔２１１は、前後方向に延びる前後長孔２１１ａと、この前後長孔２１１ａの前端部から下側に向けて延びる上下長孔２１１ｂとで形成されている。
このガイド孔２１１には、上述したリンクピン１４０が挿入される。すなわち、リンクピン１４０は、上述したキャッチ部１００をガイド部２１０内に挿入した後に、ガイド部２１０の外側からガイド孔２１１、内包ブロック１３０の誘導孔１３１ａ、当接ブロック１１０の傾斜孔１１１ａ、捕捉板１２０の取付孔１２３の順に挿通される。
また、上述したように、ガイド孔２１１の前後長孔２１１ａには、内包ブロック１３０の案内突部１３３が嵌合し、この前後長孔２１１ａに沿ってキャッチ部１００を前後方向に案内するようになっている。
【００４１】
また、ガイド孔２１１の上下長孔２１１ｂは、リンクピン１４０をこの上下長孔２１１ｂの下側に移動させたときに、キャッチ部１００が前後方向に移動するのを阻むようにする。すなわち、ガイド孔２１１は、キャッチ部１００の移動をロックするためのロック機構としても機能する。
【００４２】
さらに、ガイド部２１０には、取り付けのために、ガイド部２１０の底面を前方向に延ばし、この延ばした底面に取付孔２１２が形成されている。この取付孔２１２には、図７および図８に示すように、下側から取り付けねじ２１３が挿通され、取付ブロック２４０を介して吊り下げ部３００側に取り付けられる。なお、この取り付けねじ２１３は、ねじの他に、例えば、着脱自在に取り付けられる取付ピンであってもよい。
【００４３】
この取付ブロック２４０は、図７および図８に示すように、正面から見て略コ字形状をなしており、上ブロック２４１、下ブロック２４２、および側ブロック２４３とで構成されている。この上ブロック２４１および下ブロック２４２には、取付ねじ２１３が挿通される取付孔２４１ａ、２４２ａが上下方向に揃えてそれぞれ設けられている。また、側ブロック２４３には、左右方向に貫通する取付孔２４３ａが設けられている。
【００４４】
また、ガイド部２１０の後端部の左右の下側には、ダンパー支持部２２０に組み付けて位置決めするための延出部２１４が形成されている。
さらに、ガイド部２１０の左右側部の前側には、取付ブロック２４０の取付孔２４３ａに取付ピン２１５を介して取り付けるための取付孔２１６が形成されている。さらにまた、ガイド部２１０の左右側部の後側には、ダンパー支持部２２０の取付孔２１９に取付ピン２１７を介して取り付けるための取付孔２１８が形成されている。
【００４５】
ダンパー支持部２２０は、図７および図８に示すように、左右に分割して形成されており（左側のダンパー支持部を２２０ａ、右側のダンパー支持部２２０ｂで示す）、組み合わせた状態で、その内部にダンパーユニット２２１が収容されている。このダンパーユニット２２１は、出力軸２２１ａと、この出力軸２２１ａを軸方向に進退自在に保持しているユニット本体２２１ｂとを有している。ユニット本体２２１ｂ内には、出力軸２２１ａの縮長方向への移動に制動力を作用させるオイルなどの抵抗流体（図示省略）が収容されている。また、出力軸２２１ａの先端部は、キャッチ部１００と引込部２００とが組み付けられた状態で、支持部１３２の取付溝１３２ａに挿入され、ダンパーユニット２２１がキャッチ部１００の内包ブロック１３０の前後方向への移動を緩衝する。
【００４６】
この左右のダンパー支持部２２０ａ、２２０ｂには、ダンパーユニット本体２２１ｂの形状に合わせたダンパー収容溝２２４がそれぞれ形成されており、このダンパー収容溝２２４にダンパーユニット本体２２１ｂを入れ込む（収容する）態様で左右のダンパー支持部２２０ａ、２２０ｂを組み合わせることで、ダンパーユニット２２１が組み付けられる。
【００４７】
また、左側のダンパー支持部２２０ａの上側および下側には、右側のダンパー支持部２２０ｂに向けて突出する係合爪２２２がそれぞれ２つずつ（合計４つ）設けられている。一方、右側のダンパー支持部２２０ｂには、この係合爪２２２と対応する位置に係止溝２２３が設けられている。この左右のダンパー支持部２２０ａ、２２０ｂを組み合わせ、係合爪２２２を係止溝２２３に係止させることで、ダンパー支持部２２０が組み付けられるようになっている。
【００４８】
また、ダンパー支持部２２０には、ダンパーユニット２２１の下側に、引張ばねユニット２２５が取り付けられている。この引張ばねユニット２２５は、引張ばね２２６と、この引張ばね２２６の両端部に取り付けられた２つのばね受け２２７とで構成されている。
【００４９】
引張ばね２２６は、コイルばねであり、引張ばねユニット２２５では、引っ張りばねとして使用されている。また、２つのばね受け２２７は、その先端部分にくびれ部２２７ａが形成されている。
【００５０】
前側に位置するばね受け２２７は、左右のダンパー支持部２２０ａ、２２０ｂに形成され前後方向に延在するばね受け収容溝２２８に組み付けられ、ばね受け２２７のくびれ部２２７ａが、内包ブロック１３０のくびれ部収容溝１３１ｃに組み付けられる。これにより、前側のばね受け部２２７の前後方向の位置が規制される。
後側に位置するばね受け２２７は、前側のばね受け部の後方に位置し、同様にばね受け収容溝２２８に組み付けられる。また、ばね受け２２７のくびれ部２２７ａは、このばね受け収容溝２２８の後端部に形成されたくびれ部収容溝２２９に組み付けられる。これにより、後側のばね受け部２２７の前後方向の位置が規制される。
【００５１】
また、左右のダンパー支持部２２０ａ，２２０ｂには、図７および図８に示すように、ダンパー支持部２２０ａ、２２０ｂの後端部から後方に向けて延びる係合爪２３０がそれぞれ形成されている。この係合爪２３０は、引込部２００の後部に取り付けられる後側ガイドローラ部４００と着脱可能に取り付けられる。より詳細には、後側ガイドローラ部４００は、中央に位置する取付カバー４０１と、左右方向に延在する回転軸４０２と、この回転軸４０２に回転自在に取り付けられた２つのガイドローラ２１とで構成されている。
【００５２】
取付カバー４０１には、上述した係合爪２３０と係合可能な係合孔４０１ａが形成されている。また、係合爪２３０の後端部には、その先端部から基端部に向かうに従い幅方向に突出する態様で係合突起２３０ａ（図１４参照）が形成されている。この係合突起２３０ａは、対応する係合孔４０１ａ内の係合孔部４０１ｂと係合することで、捕捉引込機構２０の長手方向において固定されることになる。また、係合突部２３０ａには、傾斜面２３０ｂ（図１４参照）が形成されており、この傾斜面２３０ｂの傾斜によって係合爪２３０を係合孔４０１ａに嵌合（挿入）し易いようになっている。
これらの係合爪２３０および係合孔４０１ａは、係合爪２３０の弾性によって係合孔４０１ａと係合又は係合解除が可能になっており、係合爪２３０を所定の位置まで押し込んだときに、係合突起２３０ａが係合孔部４０１ｂに係合する。すなわち、ねじなどの締結部材等を使用せずに着脱可能に取り付けられている。
【００５３】
吊り下げ部３００は、図７、図８、特に図１０に示すように、ガイドローラ２１を備えた前側ガイドローラ部３１０と、この前側ガイドローラ部３１０の下側に取り付けられ、引き戸２を固定すると共にその取付位置を微調整可能な固着ユニット３２０とを備えている。
【００５４】
前側ガイドローラ部３１０には、その中央に位置する本体部３１１に、図示しない回転軸を介して４つのガイドローラ２１が回転自在に取り付けられている。また、本体部３１１の後端部には、この後端部から後方に向けて延在し、上下方向に隙間をあけて形成された挟持部３１１ａが形成されている。この挟持部３１１ａには、取付孔３１１ｂが上下に貫通する態様で形成されている。
この挟持部３１１ａには、前述した取付ブロック２４０の上ブロック２４１が間に挟まれる態様で取り付けられ、取付ピン２１３が、それぞれ取付孔２１２、２４１ａ、２４２ａ、３１１ｂに挿通される。これにより、ガイド部２１０が、取付ブロック２４０を介して、吊り下げ部３００に固定される。
【００５５】
固着ユニット３２０は、その前端に表出している調整部３２１にドライバーを差し込んで回転させることにより、この固着ユニット３２０に取り付けられた引き戸２の左右方向の位置を微調整できるようになっている。
【００５６】
次に、本発明の実施の形態に係る開閉体閉止装置およびその着脱方法についての作用を説明する。なお、以下の説明において、キャッチ部１００および引込部２００を組み付けたもの（捕捉引込機構２０から、後述する吊り下げ部３００および後側ガイドローラ部４００を除いた部分）を、捕捉引込機構本体部Ｔという。
図１１〜図１４は、ガイドレール１に取り付けられた捕捉引込機構２０から、捕捉引込機構本体部Ｔを取り外す方法を、その手順を追って示したものである。なお、図１１〜図１４では、引き戸２を捕捉引込機構２０の吊り下げ部３００から取り外した状態を示している。
【００５７】
捕捉引込機構２０のガイドローラ２１は、図１１に示すように、ガイドレール１の内側底面１ａに載置されるように取り付けられている。ガイドローラ２１は、この内側底面１ａの長手方向（ガイドレール１の長手方向）に沿って転動することにより、捕捉引込機構２０がガイドレール１上を自由に移動する。
【００５８】
この状態から捕捉引込機構本体部Ｔを取り外すには、図１２に示すように、引込部２００と吊り下げ部３００とを組み付けている取り付けねじ２１３を、捕捉引込機構２０の下側から取り外す。この作業は、引き戸２が取り付けられる開口部側から上方に向かって工具を使用することができるので、容易に行うことができる。
【００５９】
なお、取り付けねじ２１３を上下方向（引き戸２の移動方向と異なる方向）に挿入しているのは、引き戸２の開閉時の勢いによる衝撃を受けるため、および、引張ばねユニット２２５の引張ばね２２６の付勢力に抗するためでもある。すなわち、引き戸２の移動方向と同じ方向に嵌合などによって固定する方法では、引き戸２の開閉時の勢いによって、および、引張ばね２２６によって引き戸２が閉止方向へ誘導される際に、これらの力によって嵌合が外れるおそれがあるためである。一方、引き戸２を支持していない後側ガイドローラ部４００には、引き戸２の開閉時の衝撃、および、引張ばね２２６の付勢力は作用しないため、引き戸２の移動方向と同じ方向に嵌合などによって固定しても構わない。
【００６０】
次に、吊り下げ部３００をそのままガイドレール１上に残し、捕捉引込機構本体部２０と後側ガイドローラ部４００を後側に一緒に移動させる。これにより、取付ブロック２４０と前側ガイドローラ部３１０の挟持部３１１ａとの嵌合（挟持）が前後方向において完全に外れ、吊り下げ部３００と捕捉引込機構本体部Ｔの前側部分とが取り外される。
【００６１】
この状態から、図１３に示すように、捕捉引込機構本体部Ｔの前側部分が後側ガイドローラ部４００の回転軸４０２を中心に回動して、前側部分を下側に下がる。これは、後側ガイドローラ部４００のガイドローラ２１が前後方向において１列で構成してあるため、回動軸４０２を中心にして回動することができる。
【００６２】
そして、図１４に示すように、捕捉引込機構本体部Ｔを下側へ引き抜くように取り外す。このとき、左右２つの係合爪２３０の係合突部２３０ａは、この係合爪２３０を弾性によって内側に撓ませることによって係合孔４０１ａ内の係合孔部４０１ｂとの係合を解除させることができる。これにより、捕捉引込機構本体部Ｔの後端部を後側ガイドローラ部４００から自由に引き抜く（嵌合解除）することができる。
【００６３】
また、当然のことながら、捕捉引込機構本体部Ｔは、上述した取り外し手順と逆の手順、すなわち、捕捉引込機構本体部Ｔの後側部を後側ガイドローラ部４００へ押し込んで嵌合させるとともに、捕捉引込機構本体部Ｔの前側部を取り付けねじ２１３で固定することによって、容易に取り付けることができる。
これにより、ガイドレール１には、前側ガイドローラ部３１０および後側ガイドローラ部４００を残したまま、捕捉引込機構本体部Ｔを自由に取り外し、および、取り付けすることができる。
【００６４】
本発明の実施の形態に係る開閉体閉止装置によれば、ガイドローラ部３１０、４００（２１）を捕捉引込機構本体部Ｔの前後にそれぞれ配設し、ガイドレール１にガイドローラ２１が取り付けられた状態で、捕捉引込機構本体部Ｔを前後のガイドローラ部３１０、４００（２１）から着脱可能に構成しているので、開口部の上縁部に取り付けられたガイドレール１をその開口部の上縁部から取り外すことなく、かつ、そのガイドレール１に載置する態様で取り付けられている前後のガイドローラ部３１０、４００（２１）をガイドレール１側に残したまま、メンテナンスが必要な捕捉引込機構本体部Ｔのみを固定部材から単体で取り外すことができる。そのため、従来のように、引き戸２と捕捉引込機構２０の全体をガイドレール１から取り外す必要がなく、捕捉引込機構２０のメンテナンスを容易かつ短時間で行うことができる。
【００６５】
また、前側ガイドローラ部３１０（２１）と捕捉引込機構本体部Ｔとが、引き戸２の移動方向と異なる方向から挿入される着脱可能な取り付けねじ２１３によって取り付けられ、後側ガイドローラ部４００（２１）と捕捉引込機構本体部Ｔとが、引き戸２の移動方向に沿って抜き差し可能に嵌合して取り付けられているので、引き戸２の開閉時の勢い（衝撃）を受け、かつ、捕捉引込機構本体部Ｔ内部に設けられ引き戸２を閉止状態へ強制的に移動させる引張ばね２２６の付勢力に抗し、前側ガイドローラ部３１０側を強固に固定することができる。さらに、引き戸２の開閉時の衝撃、および、引張ばね２２６の付勢力が作用しない後側ガイドローラ部４００の取付を、着脱容易に引き抜ける構造にすることができる。
【００６６】
さらに、前側ガイドローラ部３１０（２１）を取り外した状態で、捕捉引込機構本体部Ｔが後側ガイドローラ部４００（２１）を中心に回動するように構成しているので、捕捉引込機構本体部Ｔを引き抜き易い位置まで自重で回動することができ、メンテナンス作業をより容易に行うことができるようになる。
【００６７】
他方、本発明の実施の形態に係る開閉体閉止装置の着脱方法によれば、ガイドレール１に前側および後側ガイドローラ部３１０、４００（２１）を介して捕捉引込機構本体部Ｔが取り付けられている状態で、捕捉引込機構本体部Ｔの前側ガイドローラ部３１０から捕捉引込機構本体部Ｔを固定する取り付けねじ２１３を取り外し、前側ガイドローラ部３１０から捕捉引込機構本体部Ｔをスライドさせながら取り外し、後側ガイドローラ部４００（２１）を中心に捕捉引込機構本体部Ｔが回動し、捕捉引込機構本体部Ｔを引き抜きやすい位置で、捕捉引込機構本体部Ｔを後側ガイドローラ部４００（２１）から抜き取るようにしているので、ガイドレール１に載置する態様で取り付けられている前側および後側ガイドローラ部３１０、４００（２１）をガイドレール１側に残したまま、捕捉引込機構本体部Ｔのみをガイドレール１から容易に着脱することができる。そのため、従来と比較して、捕捉引込機構２０のメンテナンスを容易かつ短時間で行うことができる。
【００６８】
以上、本発明の実施の形態に係る開閉体閉止装置について述べたが、本発明は既述の実施形態に限定されるものではなく、本発明の技術思想に基づいて各種の変形および変更が可能である。
例えば、本実施の形態では、ガイドローラ１および捕捉引込機構２０を引き戸２で閉止する開口部の上縁部に設けているが、上縁部の代わりに、開口部の下縁部に設けてあっても本発明を利用することができる。この場合であっても、ガイドレールに取り付けられた捕捉引込機構２０の本体部Ｔのみを、ガイドレール１からガイドローラ２１を取り外すことなく容易に取り外すことができる。これにより、捕捉引込機構本体部Ｔのメンテナンス性を向上させることができる。
【００６９】
また、本実施の形態では、前側ガイドローラ部３１０側を取り付けねじ２１３で固定し、後側ガイドローラ部４００を嵌合によって引き抜き可能に構成しているが、逆の構造であってもよい。すなわち、本実施例では、前側ガイドローラ部３１０側に引き戸２を支持するための吊り下げ部３００が設けられており、引き戸２を閉止状態へ強制的に付勢するばね力が前側ガイドローラ部３１０にも作用するために、引き戸２の移動方向とは異なる方向に挿入される取り付けねじ２１３を前側ガイドローラ部３１０に設ける構成にしているが、吊り下げ部３００を後側ガイドローラ部４００に設ける場合には、逆の構造にする必要がある。このように、吊り下げ部３００を設ける位置によって、適宜、取付構造を前後で逆にすることができる。
【符号の説明】
【００７０】
１ ガイドレール（固定部材）
１ａ 内側底面
２ 引き戸（開閉体）
３ 戸当り
１０ 開閉体閉止装置
１１ 被捕捉部材
１１ａ 突部
２０ 捕捉引込機構
２１ ガイドローラ
１００ キャッチ部
１１０ 当接ブロック
１１１ 本体部
１１１ａ 傾斜孔
１１２ 受け部
１１２ａ 当接面
１１３ 圧縮コイルばね
１２０ 捕捉板
１２１ 捕捉爪
１２１ａ テーパ当接面
１２２ 補助爪
１３０ 内包ブロック
１３１ 外郭部
１３１ａ 誘導孔
１３１ｂ 受け面
１３２ 支持部
１３２ａ 取付溝
１３３ 案内突部
１４０ リンクピン
２００ 引込部
２１０ ガイド部
２１１ ガイド孔
２１１ａ 前後長孔
２１１ｂ 上下長孔
２１３ 取り付けねじ（取付ピン）
２１４ 延出部
２１５、２１７ 取付ピン
２２０（２２０ａ、２２０ｂ） ダンパー支持部
２２１ ダンパーユニット
２２２ 係合爪
２２５ 引張ばねユニット
２２６ 引張ばね
２２７ ばね受け
２２８ ばね受け収容溝
２２９ くびれ部収容溝
２３０ 係合爪
２３０ａ 係合突部
２３０ｂ 傾斜面
２４０ 取付ブロック
２４１ 上ブロック
２４２ 下ブロック
２４３ 側ブロック
３００ 吊り下げ部
３１０ 前側ガイドローラ部
３１１ 本体部
３１１ａ 挟持部
３２０ 固着ユニット
３２１ 調整部
４００ 後側ガイドローラ部
４０１ 取付カバー
４０１ａ 係合孔
４０１ｂ 係合孔部
４０２ 回転軸
Ｔ 捕捉引込機構本体部
【図１】
0005726559.tif 000002
【図２】
0005726559.tif 000003
【図３】
0005726559.tif 000004
【図４】
0005726559.tif 000005
【図５】
0005726559.tif 000006
【図６】
0005726559.tif 000007
【図７】
0005726559.tif 000008
【図８】
0005726559.tif 000009
【図９】
0005726559.tif 000010
【図１０】
0005726559.tif 000011
【図１１】
0005726559.tif 000012
【図１２】
0005726559.tif 000013
【図１３】
0005726559.tif 000014
【図１４】
0005726559.tif 000015